(57)【要約】【課題】面発光パネルと支持体との間隔、又は面発光パネル同士の間隔を狭くすることができ、且つ容易に面発光パネルの交換を行うことができる面発光照明装置を提供すること。【解決手段】面発光パネルと、前記面発光パネルをパネル着脱位置とパネル嵌め込み位置との間で移動可能とし、且つ前記面発光パネルを支持する支持体と、を有し、前記支持体は、前記面発光パネルを嵌め込み可能な開口を備える本体部と、前記面発光パネルを支持し、且つ少なくとも前記パネル嵌め込み位置において前記面発光パネルの支持をなす支持手段と、前記開口の内部に配置され、前記面発光パネルを前記パネル嵌め込み位置から前記パネル着脱位置に向かって付勢する付勢手段と、前記面発光パネルに対する前記付勢手段の付勢力の伝達を抑制し、前記パネル嵌め込み位置に前記面発光パネルを係止する係止手段と、を含むこと。【選択図】図２
2014135231.tif 000002
【特許請求の範囲】
【請求項１】
面発光パネルと、
前記面発光パネルをパネル着脱位置とパネル嵌め込み位置との間で移動可能とし、且つ前記面発光パネルを支持する支持体と、を有し、
前記支持体は、
前記面発光パネルを嵌め込み可能な開口を備える本体部と、
前記面発光パネルを支持し、且つ少なくとも前記パネル嵌め込み位置において前記面発光パネルの支持をなす支持手段と、
前記開口の内部に配置され、前記面発光パネルを前記パネル嵌め込み位置から前記パネル着脱位置に向かって付勢する付勢手段と、
前記面発光パネルに対する前記付勢手段の付勢力の伝達を抑制し、前記パネル嵌め込み位置に前記面発光パネルを係止する係止手段と、を含むことを特徴とする面発光照明装置。
【請求項２】
前記係止手段は、前記パネル嵌め込み位置において前記面発光パネルの発光面側が押圧されると、前記面発光パネルの係止状態を解除することを特徴とする請求項１に記載の面発光照明装置。
【請求項３】
前記支持手段は、前記面発光パネルを着脱自在に担持し、前記パネル着脱位置と前記パネル嵌め込み位置との間で前記面発光パネルと一体的に移動する担持部を備えることを特徴とする請求項１又は２に記載の面発光照明装置。
【請求項４】
前記担持部は、前記面発光パネルに電力及び制御信号の少なくともいずれか一方を供給することを特徴とする請求項３に記載の面発光照明装置。
【請求項５】
前記担持部は、前記パネル嵌め込み位置のみにおいて、前記面発光パネルに電力を供給することを特徴とする請求項３に記載の面発光照明装置。
【請求項６】
前記担持部は、前記付勢手段と接続していることを特徴とする請求項３乃至５のいずれか１項に記載の面発光照明装置。
【請求項７】
前記支持手段は、前記パネル嵌め込み位置において、前記面発光パネルの周囲を支持する支持ピンを備えることを特徴とする請求項１又は２に記載の面発光照明装置。
【請求項８】
前記支持手段は、前記面発光パネルと前記付勢手段とを磁力によって連結する磁性体を備えることを特徴とする請求項１又は２に記載の面発光照明装置。
【請求項９】
前記付勢手段は、バネであることを特徴とする請求項１乃至８のいずれか１項に記載の面発光照明装置。
【発明の詳細な説明】
【技術分野】
【０００１】
本発明は、面発光パネルを有する面発光照明装置に関する。
【背景技術】
【０００２】
従来から、照明用機器として白熱電球や蛍光灯が広く用いられている。これに対し、近年面発光照明機器がそのソフトな印象の光や省エネルギー性能などの理由から次世代照明として注目を浴びており、有機エレクトロルミネッセンス（有機ＥＬ（Electro Luminescence）、ＯＥＬ：Organic Electro Luminescence）、無機エレクトロルミネッセンス、又は発光ダイオードと導光板とを組合せたものが開発されている。中でも有機ＥＬは、機器の小型軽量化が可能であり、発熱も小さいといった点で注目されている。
【０００３】
有機ＥＬとは、有機物質からなる発光材料に電圧を印可してエネルギーを付与し、励起された当該発光材料が元の状態に戻る際に、光としてエネルギーを放出する現象のことをいう。有機ＥＬ技術を用いた発光素子である有機ＥＬ発光素子には、有機物質からなる発光材料を含む有機層と、当該有機層を挟むように対向した２つの電極（陰極及び陽極）と、を基板上に順次積層した構造が一般的に用いられている。
【０００４】
有機ＥＬは発光材料の種類を変えることにより発光波長を変更することができるので、例えば赤色、緑色、青色の３種類の発光材料を混合することで白色光を得ることができる。また、例えば異なる発光材料を含んだ２種類以上の発光素子をストライプ状に交互に形成し、各々の発光素子に独立して電流を流すことで、放射する光の色を変えることができる面発光照明装置を得ることができる。
【０００５】
このような面発光照明装置は、薄さや軽量性、ソフトな発光などの特性を生かして、照明用途を始め、建屋内、乗物内のインテリア、又はエクステリアなどに用いることも可能である。例えば、特許文献１には、有機ＥＬを用いた面発光照明装置を一般的な照明として用いた例が開示されている。
【０００６】
また、面発光照明装置を何らかの支持体に設置する場合、面発光照明装置と支持体との間に隙間及び段差をできるかぎり設けないことにより、面発光照明装置と支持体との一体感を増すことができ、更にはその美観を向上することもできる。また、複数の面発光パネルを並置する場合においても、面発光パネル同士の間の隙間をできる限り狭くすることにより、発光むらを低減させ、更には美観及び照度の向上も図ることができる。例えば、特許文献２には、このような照明の一例が開示されている。
【０００７】
更に、面発光照明装置に用いられる面発光パネルは、長期間使用すると経時的劣化、又はその他の理由（例えば、面発光パネルの故障又は破損）によって交換が必要になる。例えば、特許文献３には、面発光パネルの交換の方法の一例が開示されている。特許文献３には、面発光パネルの片側を回転自在にしておき、治具を用いて保持部材を引っ張ることで面発光パネルの固定を解除し、面発光パネルを回転させて取り外す方法が記載されている。
【先行技術文献】
【特許文献】
【０００８】
【特許文献１】特開２０１１−１８４８３号公報
【特許文献２】特開２００９−１５２１３７号公報
【特許文献３】特開２００７−２５０３０２号公報
【発明の概要】
【発明が解決しようとする課題】
【０００９】
ここで、面発光パネルを交換する場合、パネルを取り外すには治具又は指の力を面発光パネルに伝達するために、面発光パネルの周囲にある程度の空間又は段差が必要となる。しかしながら、美観及び機能性を向上させるために、面発光パネルが支持体にほぼ隙間なく設置されている場合には、面発光パネルに外力を加えることが出来なくなり、この結果として発光面側からの面発光パネルの取り外しが不可能となる。このような場合には、支持体全体を取り外す、又は支持体の裏側から面発光パネルを取り外す工事を行うことが必要となり、一枚のみの面発光パネルの交換の場合であっても大変な手間及びコストが必要となってしまう。
【００１０】
本発明はこのような課題に鑑みてなされたものであり、その目的とするところは、面発光パネルと支持体との間隔、又は面発光パネル同士の間隔を狭くすることができ、且つ容易に面発光パネルの交換を行うことができる面発光照明装置を提供することにある。
【課題を解決するための手段】
【００１１】
上述した目的を達成するため、本発明の面発光照明装置は、面発光パネルと、前記面発光パネルをパネル着脱位置とパネル嵌め込み位置との間で移動可能とし、且つ前記面発光パネルを支持する支持体と、を有し、前記支持体は、前記面発光パネルを嵌め込み可能な開口を備える本体部と、前記面発光パネルを支持し、且つ少なくとも前記パネル嵌め込み位置において前記面発光パネルの支持をなす支持手段と、前記開口の内部に配置され、前記面発光パネルを前記パネル嵌め込み位置から前記パネル着脱位置に向かって付勢する付勢手段と、前記面発光パネルに対する前記付勢手段の付勢力の伝達を抑制し、前記パネル嵌め込み位置に前記面発光パネルを係止する係止手段と、を含むことを特徴とする。
【発明の効果】
【００１２】
本発明の面発光照明装置によれば、面発光パネルと支持体との間隔、又は面発光パネル同士の間隔を狭くすることができるため、美観及び照度が従来の照明装置と比較して優れている。また、特殊な治具又は工事等を必要とすることなく面発光パネルを容易に交換することができるため、面発光照明装置自体の製造コスト及び維持費用を低減することができる。
【図面の簡単な説明】
【００１３】
【図１】実施例に係る面発光照明装置の概略構成図である。
【図２】図１の線II−IIに沿った面発光照明装置の断面図である。
【図３】実施例に係る有機ＥＬ面発光パネルの斜視図である。
【図４】実施例に係る有機ＥＬ面発光パネルの断面図である。
【図５】実施例にかかる面発光照明装置の部分的な電気回路図である。
【図６】有機ＥＬ面発光パネルを支持体に取り付ける前の状態を図２と同様にして示す断面図である。
【図７】有機ＥＬ面発光パネルを担持部に取り付けた状態を図２と同様にして示す断面図である。
【図８】変形例に係る面発光照明装置の概略構成図である。
【図９】図２と同様にして示す変形例に係る面発光照明装置の断面図である。
【図１０】有機ＥＬ面発光パネルを変形例に係る支持体に取り付ける前の状態を図９と同様にして示す断面図である。
【図１１】有機ＥＬ面発光パネルをバネに取り付けた状態を図９と同様にして示す断面図である。
【発明を実施するための形態】
【００１４】
以下、図面を参照し、本発明の実施の形態について、実施例及び変形例に基づき詳細に説明する。なお、本発明は以下に説明する内容に限定されるものではなく、その要旨を変更しない範囲において任意に変更して実施することが可能である。また、実施例及び変形例の説明に用いる図面は、いずれも本発明による面発光照明装置又はこれの構成部材を模式的に示すものであって、理解を深めるべく部分的な強調、拡大、縮小、または省略などを行っており、面発光照明装置又は各構成部材の縮尺や形状等を正確に表すものとはなっていない場合がある。更に、実施例及び変形例で用いる様々な数値は、いずれも一例を示すものであり、必要に応じて様々に変更することが可能である。
【実施例】
【００１５】
＜面発光照明装置の全体構成＞
先ず、本発明の実施例に係る面発光照明装置１の構成を図１及び図２を参照しつつ説明する。図１は、本実施例に係る面発光照明装置１の概略構成図である。図２は、図１の線II−IIに沿った面発光照明装置１の断面図である。
【００１６】
図１に示すように、面発光照明装置１は、壁２に設置されている。壁２には面発光照明装置１を嵌め込むための開口２ａが設けられており、当該開口２ａ内に面発光照明装置１が嵌め込まれることにより、面発光照明装置１の設置がなされている。なお、面発光照明装置１は、壁２に限られることなく、天井又は床等に設置してもよい。また、面発光照明装置１は、壁２等に嵌め込まれることなく、壁２の表面上に固定されてもよい。
【００１７】
図１及び図２から分かるように、面発光照明装置１は、有機ＥＬ面発光パネル３、及び装着された有機ＥＬ面発光パネル３を支持する支持体４を備えている。ここで、支持体４は、壁２と接着剤又はネジ等の機械的な接続部材（図示せず）により、強固に固着されている。
【００１８】
以下において、有機ＥＬ面発光パネル３及び支持体４について詳細に説明する。
【００１９】
（有機ＥＬ面発光パネル）
先ず、面発光照明装置１を構成する有機ＥＬ面発光パネル３について、図３及び図４を参照しつつ詳細に説明する。ここで、図３は本実施例に係る有機ＥＬ面発光パネル３の斜視図であり、図４は本実施例に係る有機ＥＬ面発光パネル３の断面図である。
【００２０】
図３に示すように、有機ＥＬ面発光パネル３は、透明基板１１、有機ＥＬ発光素子１２、光拡散部１３、及び封止部１４から構成されている。また、有機ＥＬ発光素子１２は、発光色が赤色である有機ＥＬ発光素子１２Ｒ、発光色が緑色である有機ＥＬ発光素子１２Ｇ、発光色が青色である有機ＥＬ発光素子１２Ｂの３種類に分類される。
【００２１】
本実施例において、透明基板１１は、ガラス製の基板である。なお、透明基板１１は、可視光を透過する特性を有する基板であればよく、例えば、ポリエステル、ポリメタクリレート、ポリカーボネート、ポリイミド、ポリエチレンテレフタレート、ポリエチレンナフタレート又はポリスルホン等の透明な樹脂；セラミックスなどから構成されてもよい。
【００２２】
より具体的な有機ＥＬ面発光パネル３の構成として、透明基板１１の有機ＥＬ発光素子形成面１１ａ上には、有機ＥＬ発光素子１２Ｒ、有機ＥＬ発光素子１２Ｇ、及び有機ＥＬ発光素子１２Ｂが各々複数個ずつ、隣接する素子同士が互いに離間してストライプ状に並設されている。これらの有機ＥＬ発光素子は、有機ＥＬ発光素子１２Ｒ、１２Ｇ、１２Ｂの順序で繰り返して並置されている。このような構成により、有機ＥＬ発光素子１２Ｒから放射される赤色の光、有機ＥＬ発光素子１２Ｇから放射される緑色の光、及び有機ＥＬ発光素子１２Ｂから放射される青色の光を合成し、有機ＥＬ面発光パネル３から全体的に均一色の合成光を放射することになる。なお、各色の光を放射する有機ＥＬ発光素子１２Ｒ、１２Ｇ、１２Ｂのそれぞれの個数は１個ずつであってもよいが、発光面の拡大化及び有機ＥＬ面発光パネル３の高輝度化及び良好な光の混合を図る場合には、多くの有機ＥＬ発光素子１２Ｒ、１２Ｇ、１２Ｂを並置することが好ましい。また、各有機ＥＬ発光素子は、各有機ＥＬ発光素子の間に絶縁性の樹脂等からなる隔壁（図示せず）を設けることによって離間させられていてもよい。
【００２３】
図４に示すように、発光色が赤色である有機ＥＬ発光素子１２Ｒは、透明基板１１上に形成された陽極（透明電極）１５Ｒ、陽極１５Ｒ上に形成された有機層１６Ｒ、及び有機層１６Ｒ上に形成された陰極（金属電極）１７Ｒから構成されている。同様に、発光色が緑色である有機ＥＬ発光素子１２Ｇは、透明基板１１上に形成された陽極（透明電極）１５Ｇ、陽極１５Ｇ上に形成された有機層１６Ｇ、有機層１６Ｇ上に形成された陰極（金属電極）１７Ｇから構成され、発光色が青色である有機ＥＬ発光素子１２Ｂは、透明基板１１上に形成された陽極（透明電極）１５Ｂ、陽極１５Ｂ上に形成された有機層１６Ｂ、有機層１６Ｂ上に形成された陰極（金属電極）１７Ｂから構成されている。なお、陽極１５Ｒ、１５Ｇ、１５Ｂのいずれかを指定しない場合には単に陽極１５と称し、有機層１６Ｒ、１６Ｇ、１６Ｂのいずれかを指定しない場合には単に有機層１６と称し、陰極１７Ｒ、１７Ｇ、１７Ｂのいずれかを指定しない場合には単に陰極１７と称する場合がある。すなわち、本実施例において、透明基板１１上には、各有機ＥＬ発光素子１２を構成する陽極１５、有機層１６及び陰極１７が順次積層されている。
【００２４】
また、陽極１５、有機層１６及び陰極１７の平面形状（すなわち、面積）は略同一である。従って、陽極１５、有機層１６及び陰極１７の側面は同一平面であり、有機ＥＬ発光素子１２の形状は、直方体である。
【００２５】
本実施例においては、陽極１５は、インジウム錫酸化物（ＩＴＯ）から構成されている。このため、陽極１５は、有機層１６に正孔を注入する機能を有し、且つ有機層１６からの発光に対して透光性を備えている。すなわち、陽極１５は、透明電極として機能する。陽極１５の形成は、スパッタリング法や真空蒸着法等により行われる。陽極１５の表面には、陽極１５上の不純物除去や、イオン化ポテンシャルの調整による正孔注入性向上の点から、紫外線照射やオゾン処理をしてから有機層１６を形成することが好ましい。
【００２６】
なお、陽極１５は、インジウム錫酸化物から構成されていることに限定されることなく、有機層１６に正孔を注入する機能を有し、且つ有機層１６からの発光に対して透光性を備えていれば、例えば、インジウム亜鉛酸化物等の金属酸化物、アルミニウム、金、銀、ニッケル、パラジウム、白金等の金属、ヨウ化銅等のハロゲン化金属、カーボンブラック、ポリ（３−メチルチオフェン）、ポリピロール等の導電性高分子等から構成されてもよい。また、陽極１５は、有機ＥＬ発光素子１２Ｒ、１２Ｇ、１２Ｂ毎に異なる材料から構成されてもよい。
【００２７】
図４において図示されていないが、有機ＥＬ発光素子は、更に正孔注入層、正孔輸送層、電子輸送層及び／又は電子注入層を有してもよい。その場合、陽極１５側から正孔注入層、正孔輸送層、発光層、電子輸送層及び電子注入層の順に積層された構造を有していることが好ましい。なお、このような積層構造の場合、有機層１６は正孔注入層、正孔輸送層、発光層、電子輸送層及び電子注入層から構成されてもよく、これらの一部の層から構成されてもよい。すなわち、各層の材料に有機材料を用いるか否かによって、有機層１６を構成する層が異なってくる。
【００２８】
上記正孔注入層及び正孔輸送層は、正孔輸送性の材料から形成されることが好ましく、芳香族アミン誘導体、フタロシアニン誘導体、ポルフィリン誘導体、オリゴチオフェン誘導体、ポリチオフェン誘導体、ベンジルフェニル誘導体、フルオレン基で３級アミンを連結した化合物、ヒドラゾン誘導体、シラザン誘導体、シラナミン誘導体、ホスファミン誘導体、キナクリドン誘導体、ポリアニリン誘導体、ポリピロール誘導体、ポリフェニレンビニレン誘導体、ポリチエニレンビニレン誘導体、ポリキノリン誘導体、ポリキノキサリン誘導体、カーボン等が挙げられる。また、電子輸送層は、電子輸送性の材料から形成されることが好ましく、例えば、８−ヒドロキシキノリンのアルミニウム錯体などの金属錯体、１０−ヒドロキシベンゾ［ｈ］キノリンの金属錯体、オキサジアゾール誘導体、ジスチリルビフェニル誘導体、シロール誘導体、３−ヒドロキシフラボン金属錯体、５−ヒドロキシフラボン金属錯体、ベンズオキサゾール金属錯体、ベンゾチアゾール金属錯体、トリスベンズイミダゾリルベンゼン、キノキサリン化合物、フェナントロリン誘導体、２−ｔ−ブチル−９，１０−Ｎ，Ｎ’−ジシアノアントラキノンジイミン、ｎ型水素化非晶質炭化シリコン、ｎ型硫化亜鉛、ｎ型セレン化亜鉛などが挙げられる。電子注入層は、仕事関数の低い金属からなることが好ましい。例としては、ナトリウムやセシウム等のアルカリ金属、バリウムやカルシウムなどのアルカリ土類金属などが挙げられる。
【００２９】
上記発光層に用いられる発光材料としては、以下のものが挙げられる。赤色発光を与える発光材料としては、例えば、ＤＣＭ（４−（ｄｉｃｙａｎｏｍｅｔｈｙｌｅｎｅ）−２−ｍｅｔｈｙｌ−６−（ｐ−ｄｉｍｅｔｈｙｌａｍｉｎｏｓｔｙｒｙｌ）−４Ｈ−ｐｙｒａｎ）系化合物、ベンゾピラン誘導体、ローダミン誘導体、ベンゾチオキサンテン誘導体、アザベンゾチオキサンテン等が挙げられる。また、緑色発光を与える発光材料としては、例えば、キナクリドン誘導体、クマリン誘導体、Ａｌ（Ｃ9Ｈ6ＮＯ）3等のアルミニウム錯体等が挙げられる。更に、青色発光を与える発光材料としては、例えば、ナフタレン、ペリレン、ピレン、アントラセン、クマリン、ｐ−ビス（２−フェニルエテニル）ベンゼン及びそれらの誘導体等が挙げられる。なお、上述した発光材料は、いずれか１種類のみを用いてもよく、２種類以上を任意の組み合わせ及び比率で併用してもよい。
【００３０】
本実施例においては、陰極１７は、透光性を有する必要がないため、アルミニウムから構成されている。すなわち、陰極１７は金属電極である。陰極１７の形成は、スパッタリング法や真空蒸着法等により行われる。なお、陰極１７は、アルミニウムに限定されること無く、例えば、スズ、マグネシウム、インジウム、カルシウム、銀等の金属又はそれらの合金等が用いられる。具体例としては、マグネシウム−銀合金、マグネシウム−インジウム合金、アルミニウム−リチウム合金等の低仕事関数の合金電極等が挙げられる。また、陰極１７は、有機ＥＬ発光素子１２Ｒ、１２Ｂ、１２Ｇ毎に異なる材料から構成されてもよい。
【００３１】
図３及び図４に示すように、光拡散部１３は、透明基板１１の有機ＥＬ発光素子非形成面１１ｂの全面を覆うように形成されている。光拡散部１３は、有機ＥＬ発光素子１２から放射される各色の光を拡散させ、均一に混色させる効果がある。このような効果により、ガラス基板である透明基板１１と光拡散部１３とからなる部材は、全体が単一の光源として機能する。本実施例において、光拡散部１３は透明樹脂に微粒子を分散したフィルムから構成されている。なお、光拡散部１３は、このフィルムに限定されることなく、例えば、基板表面を粗面化することによっても形成できる。
【００３２】
上述したように、透明基板１１は各有機ＥＬ発光素子１２から放射された各色の光を透過する特性を備えている。このため、図４に示すように、各有機ＥＬ発光素子１２から放射された光は、透明基板１１及び光拡散部１３を透過して、有機ＥＬ面発光パネル２から外部へ放射される。
【００３３】
図３及び図４に示すように、封止部１４は、各有機ＥＬ発光素子１２を覆い、各有機ＥＬ発光素子１２の発光材料が大気によって酸化劣化すること等を防止する機能がある。また、封止部１４は空隙１８を充填し、透明基板１１の有機ＥＬ発光素子形成面１１ａが露出しないように形成されている。本実施例において、封止部１４は、透光性を備えるエポキシ樹脂である。なお、封止部１４は、エポキシ樹脂以外にもシリコーン樹脂等の透光性を備える他の透明樹脂であってもよい。
【００３４】
また、封止部１４は、上述したような樹脂から構成されていることに限定されることはない。例えば、封止部１４は、複数の有機ＥＬ発光素子１２を全体的に覆うようなプラスチック等の透光性部材であってもよい。このような場合には、空隙１８は、封止部１４によって充填されることがない。
【００３５】
本実施例においては、ボトムエミッションタイプの有機ＥＬ面発光パネル３を用いたが、トップエミッションタイプの有機ＥＬ面発光パネルを用いてもよい。この場合には、複数の有機ＥＬ発光素子１２を支持する透明基板１１に代えて不透明な各種の支持基板を用いることができる。層構成は陽極から陰極までをボトムエミッションタイプとは逆向きに形成すればよい。また、上述した実施例においては、有機ＥＬ発光素子１２ごとに発光色の異なる有機層１６が用いられていたが、全ての有機ＥＬ発光素子１２の有機層１６が、赤色光用の発光材料、緑色光用の発光材料、及び青色光用の発光材料が均一に分散された高分子分散型のＥＬ材料から構成されてもよい。また、赤色光用の発光材料からなる層、緑色光用の発光材料からなる層、及び青色光用の発光材料からなる層を積層した積層型の有機ＥＬ発光素子を用いてもよい。
【００３６】
なお、本実施例においては、面発光パネルとして有機ＥＬ面発光パネル３を用いたが、無機ＥＬ発光体や、ＬＥＤと導光板とを組み合わせた発光体パネル用いてもよい。また、本実施例において、面発光パネルの形状は長方形であるが、その形状は限定されるものではなく、正方形、円形、楕円形、三角形、又はその他の形状であってもよい。
【００３７】
（支持体）
次に、図２を参照しつつ支持体４を詳細に説明する。図２に示すように、支持体４は、有機ＥＬ面発光パネル３の周囲を囲む本体部２１と、有機ＥＬ面発光パネル３を着脱自在に支持する支持手段として機能する担持部２２と、有機ＥＬ面発光パネル３を外部に向けて付勢する付勢手段として機能する金属製のバネ２３と、バネ２３の付勢力の伝達を抑制して有機ＥＬ面発光パネル３を本体部２１内に係止する係止手段として機能する係止部２４と、を有している。また、担持部２２から突出した係止ピン２５がバネ２３の内部を貫通して係止部２４に挿入されている。
【００３８】
本体部２１は、有機ＥＬ面発光パネル３の外形に沿った開口２１ａを有している。開口２１ａは、本体部２１を貫通しており、開口２１ａに有機ＥＬ面発光パネル３が嵌め込まれている。本実施例において、開口２１ａの開口面の形状は、有機ＥＬ面発光パネル３の外形と同様に長方形である。従って、開口２１ａの全体的な形状は、四角柱となる。ここで、有機ＥＬ面発光パネル３と本体部２１との間の隙間は、できる限り小さくすることが好ましい。これは、有機ＥＬ面発光パネル３と、本体部２１を有する支持体４との一体感を向上させるためである。
【００３９】
また、本体部２１は、金属、木材、プラスチック等の比較的に高い強度を有する材料を使用することが好ましいが、樹脂等の材料を用いてもよい。また、壁２と同一の材料を用いることにより、壁２と支持体４との一体感を向上させてもよい。すなわち、支持体４の本体部２１が壁２、天井、床等の一部を構成してもよい。
【００４０】
担持部２２は、有機ＥＬ面発光パネル３の発光面とは反対側の面（すなわち、裏面）を担持している。具体的な担持方法としては、例えば、有機ＥＬ面発光パネル３の裏面側にねじ込み部材を設け、当該ねじ込み部材が螺合される凹部を担持部２２に設けることにより、有機ＥＬ面発光パネル３を担持部２２にねじ込むことによって有機ＥＬ面発光パネル３を担持してもよい。なお、有機ＥＬ面発光パネル３を担持部２２から自在に取り外しをすることができれば、他の担持方法を用いてもよい。例えば、担持部２２が担持片を有し、有機ＥＬ面発光パネル３の裏面側に当該担持片と掛合する掛止片が設けられ、当該掛止片を当該担持片に引っ掛けることにより、担持部２２に有機ＥＬ面発光パネル３が掛合されることで担持されてもよい。その他に、有機ＥＬ面発光パネル３に設けられたラッチを用いたラッチ式の担持構造としてもよく、担持部２２に設けられた磁性体の磁力によって有機ＥＬ面発光パネル３と担持部２２とを連結してもよく、又は粘着テープ若しくはマジックテープ（登録商標）等を用いて貼り合わせることにより有機ＥＬ面発光パネル３を担持してもよい。
【００４１】
本実施例において、担持部２２の外形は、有機ＥＬ面発光パネル３の外形と同様に、長方形である。また、担持部２２の長辺は有機ＥＬ面発光パネル３の長辺と同一であり、担持部２２の短辺は有機ＥＬ面発光パネル３の短辺よりも短い。従って、担持部２２の一部（短辺部分）は、本体部２１の開口２１ａの内周面に接触している。ここで、担持部２２は、有機ＥＬ面発光パネル３の発光面の法線方向に沿って（すなわち、開口２１ａに沿って）移動可能となるように、本体部２１と係合している。具体的な係合方法としては、本体部２１の開口２１ａの内周面上に溝を設け、当該溝と係合する突起を担持部２２の短辺部分に設けてもよい。なお、担持部２２の短辺部分に溝を設け、当該溝に係合する突起を本体部２１の開口２１ａの内周面上に設けてもよい。また、開口２１ａの側面を滑らかな摺動可能な状態にしておき、担持部２２が有機ＥＬ面発光パネル３と同一の形状を有し、開口２１ａ内部を摺動する構造であってもよい。
【００４２】
バネ２３の一端は担持部２２に接続され、他端は係止部２４に接続されている。また、バネ２３は、本体部２１の開口２１ａに沿って伸縮するように配置されている。バネ２３は、有機ＥＬ面発光パネル３が本体部２１の開口２１ａ内に嵌め込まれた状態において、有機ＥＬ面発光パネル３を開口２１ａの外部に押し出すように付勢する。すなわち、有機ＥＬ面発光パネル３が嵌め込まれていない状態において、バネ２３は最も伸びた状態となり、有機ＥＬ面発光パネル３が嵌め込まれることによってバネ２３が縮むことになる。
【００４３】
なお、図２において、支持体４は２個のバネ２３を有しているが、その数量はこれに限定されるものではなく、有機ＥＬ面発光パネル３の寸法及び重量に応じて適宜変更してもよい。また、バネ２３は、その両端に金属又は樹脂からなる板又は棒が装着され、当該板又は棒を介して担持部２２及び係止部２４に接続されてもよい。更に、バネ２３は、担持部２２に接続されるのではなく、有機ＥＬ面発光パネル３に直接的に接続されていてもよい。そして、本実施例においては、強い付勢力を発生し、移動距離が長く、且つ長期間安定して使用可能であるという観点から付勢手段として金属製のバネ２３を用いたが、これに限定されることなく、例えば他の材料のバネ、又はゴム等の弾性体を用いてもよい。
【００４４】
係止部２４は、担持部２２から突出した係止ピン２５を内部に収納する開口（図示せず）が形成されており、当該開口内部において係止ピン２５を係止することでバネ２３の付勢力を抑制するカム等の係止機構（ロック機構）を構成する部材（いずれも図示せず）を有している。また、係止部２４は、バネ２３の付勢力の抑制を解除する（すなわち係止ピンの係止を解除する）機構を備えている。例えば、嵌め込まれた有機ＥＬ面発光パネル３に対して押圧を加えることにより、係止状態を解除するようにしてもよい。具体的には、係止機構を構成するカムにハート状カム又はラチェットカムを用いてもよい。すなわち、係止部２４は、プッシュロック式の押しボタン、又はダブルノック式のボールペン等に用いられる一般的な係止機構を備えている。
【００４５】
なお、係止部２４は、バネ２３の付勢力の抑制を解除する機構として、支持体４の表面（例えば、本体部２１の表面）に解除ボタンを有してもよい。具体的には、上述した係止ピンと当該ボタンとを接続し、当該ボタンが押されることによって当該係止ピンによる係止が解除される構造としてもよい。このような場合には、当該ボタンが面発光照明装置１の使用者に視認されるため、美観的な欠点が発生する可能性があるが、構造が比較的に簡易であり、面発光照明装置１のコスト低減を図ることができる。
【００４６】
また、図２に示すように、有機ＥＬ面発光パネル３への電力を供給するためのケーブル２６が担持部２２に接続されている。ケーブル２６は、支持体４の外部へ引き出され、後述する電力供給回路に接続されている。このような単純な構造により、担持部２２を介して有機ＥＬ面発光パネル３への電力供給を行うことができるため、面発光照明装置１自体のコスト低減を図ることができる。そして、有機ＥＬ面発光パネル３と担持部２２との接続部分が、電力供給用のコネクタを兼ねることにより、有機ＥＬ面発光パネル３の装着及び電気的結合が同時になされ、面発光照明装置１の使用者の利便性が向上されることになる。なお、ケーブル２６は、本体部２１の開口２１ａを経由し、有機ＥＬ面発光パネル３と直接的に接続されてもよい。また、ケーブル２６は、電力の供給路に限定されることなく、例えば、制御信号の供給路、又は電力及び制御信号の両方の供給路として用いられてもよい。換言すれば、担持部２２を介して電力及び制御信号の少なくともいずれか一方を供給してもよい。
【００４７】
＜面発光照明装置の電気回路構成＞
本実施例に係る面発光照明装置１を構成する電気回路の具体的構成について、図５を参照しつつ詳細に説明する。ここで、図５は、本実施例に係る面発光照明装置１の部分的な電気回路図である。
【００４８】
図５に示すように、有機ＥＬ面発光パネル３は、赤色光を発する複数の有機ＥＬ発光素子１２Ｒから構成される赤色発光素子群３１と、緑色光を発する複数の有機ＥＬ発光素子１２Ｇから構成される緑色発光素子群３２と、青色光を発する複数の有機ＥＬ発光素子１２Ｂから構成される青色発光素子群３３と、から構成されている。なお、図６においては、回路構成を容易に示すために有機ＥＬ発光素子１２Ｒ同士、有機ＥＬ発光素子１２Ｇ同士、有機ＥＬ発光素子１２Ｂ同士が並置されているが、実際には、図３及び図４に示されているように、有機ＥＬ発光素子１２Ｒ、有機ＥＬ発光素子１２Ｇ、有機ＥＬ発光素子１２Ｂの順序で並置されている。
【００４９】
また、図５から分かるように、有機ＥＬ発光素子１２の陽極１５は電力供給回路３４に接続され、有機ＥＬ発光素子１２の陰極１７は接地されている（すなわち、グランド電位に接続されている）。また、有機ＥＬ発光素子１２Ｒのアノード（陽極１５）同士は電気的に接続されている。すなわち、有機ＥＬ発光素子１２Ｒ同士は、並列に接続されている。同様に、有機ＥＬ発光素子１２Ｇのアノード（陽極１５）同士は電気的に接続され、有機ＥＬ発光素子１２Ｇ同士は並列に接続されている。また、有機ＥＬ発光素子１２Ｂのアノード（陽極１５）同士は電気的に接続され、有機ＥＬ発光素子１２Ｂ同士は並列に接続されている。
【００５０】
電力供給回路３４は、複数のｎチャネルＭＯＳトランジスタ３５（以下、ｎＭＯＳ３５と称する）から構成されている。そして、有機ＥＬ面発光パネル３に対して、３つのｎＭＯＳ３５が接続されている。具体的には、複数の有機ＥＬ発光素子１２Ｒ（すなわち、赤色発光素子群３１）に１つのｎＭＯＳ３５が接続され、複数の有機ＥＬ発光素子１２Ｇ（すなわち、緑色発光素子群３２）に１つのｎＭＯＳ３５が接続され、複数の有機ＥＬ発光素子１２Ｂ（すなわち、青色発光素子群３３）に１つのｎＭＯＳ３５が接続されている。以下において、有機ＥＬ発光素子１２Ｒに接続されたｎＭＯＳ３５をｎＭＯＳ３５Ｒとも称し、有機ＥＬ発光素子１２Ｇに接続されたｎＭＯＳ３５をｎＭＯＳ３５Ｇとも称し、有機ＥＬ発光素子１２Ｂに接続されたｎＭＯＳ３５をｎＭＯＳ３５Ｂとも各々称する。
【００５１】
より具体的な接続関係として、ｎＭＯＳ３５のそれぞれのゲートは、制御回路３６に接続され、ｎＭＯＳ３５のそれぞれのソースは、有機ＥＬ発光素子１２の各アノードに接続され、ｎＭＯＳ３５のドレインは外部電源３７に接続されている。
【００５２】
制御回路３６は、一般的な半導体集積回路から構成され、有機ＥＬ面発光パネル３の発光を制御している。すなわち、制御回路３６は、外部電源３７から供給される電力を利用し、各ｎＭＯＳ３５に独立してゲート電圧を印可することにより、有機ＥＬ面発光パネル３の発光色及び輝度を変化させている。
【００５３】
より詳細には、制御回路３６は、外部電源３７から供給される電力から所望のゲート電圧を生成することがき、各ｎＭＯＳ３５に独立してゲート電圧を印可し、更には印可するゲート電圧をｎＭＯＳ３５毎に変更することができる。これにより、有機ＥＬ発光素子１２Ｒ、１２Ｇ、１２Ｂごとに供給される電力を調整することができ、有機ＥＬ発光素子１２Ｒ、１２Ｇ、１２Ｂごとに放射される光の量が異なることとなり、有機ＥＬ面発光パネル３から放射される合成光の色（すなわち、発光色）及び輝度を自在に変化させることができる。すなわち、各ｎＭＯＳ３５のゲートに印可されるゲート電圧を調整することにより、有機ＥＬ面発光パネル３から放射される合成光の色を白色光のみならず、可視波長領域の様々な色に調整することができ、更には各発光色における輝度も変化させることができる。
【００５４】
更に、ｎＭＯＳ３５Ｒのみにゲート電圧を印可する場合、赤色発光素子群３１を構成する有機ＥＬ発光素子１２Ｒのみに電力が供給され、有機ＥＬ面発光パネル３から放射される光は赤色となる。同様に、ｎＭＯＳ３５Ｇのみにゲート電圧を印可する場合、緑色発光素子群３２を構成する有機ＥＬ発光素子１２Ｇのみに電力が供給され、有機ＥＬ面発光パネル３から放射される光は緑色となり、ｎＭＯＳ３５Ｂのみにゲート電圧を印可する場合、青色発光素子群３３を構成する有機ＥＬ発光素子１２Ｂのみに電力が供給され、有機ＥＬ面発光パネル３から放射される光は青色となる。すなわち、有機ＥＬ面発光パネル３からは、白色光等の合成光だけでなく、有機ＥＬ発光素子１２Ｒ、１２Ｇ、１２Ｂのそれぞれの発光色の光を単独で放射することもできる。更に、上述した３つの発光素子群のうちから２つを選択して電力を供給することで、有機ＥＬ面発光パネル３から選択した２色の合成光（例えば、シアン或いはマゼンダの発光色の光）を放射することも可能である。
【００５５】
なお、上述した実施例において、制御回路３６は、ｎＭＯＳ３５に供給するゲート電圧を変化させることにより有機ＥＬ面発光パネル３から放射される光を調整していたが、これに限定されることはない。例えば、制御回路３６は、各ｎＭＯＳ３５におけるオンオフのデューティ比を変更するようにｎＭＯＳ３５ごとに異なるゲート電圧を供給することにより、有機ＥＬ発光素子１２Ｒ、１２Ｇ、１２Ｂの発光強度を調整してもよい。また、ｎＭＯＳを用いることなく、他のトランジスタを用いて電力供給回路３４を形成してもよく、その他のスイッチ等を用いて電力供給回路３４を構成してもよい。
【００５６】
＜有機ＥＬ面発光パネルの取り付け及び取り外し＞
次に、図２、図６、及び図７を参照しつつ、有機ＥＬ面発光パネル３の取り付け方法及び取り外し方法を説明する。ここで、図６は、有機ＥＬ面発光パネル３を支持体４に取り付ける前の状態を図２と同様にして示す断面図である。また、図７は、有機ＥＬ面発光パネル３を担持部２２に取り付けた状態を図２と同様にして示す断面図である。
【００５７】
図６に示すように、有機ＥＬ面発光パネル３を支持体４に取り付ける前の状態においては、バネ２３が伸びた状態となり、担持部２２の一部が本体部２１の開口２１ａから突出している。このように担持部２２の一部が突出していると、有機ＥＬ面発光パネル３を容易に担持させることができる。なお、図６の状態は、バネ２３が完全に伸びている必要はなく、若干の付勢力が作用するものの担持部２２が移動しないような状態であってもよい。
【００５８】
次に、設置する有機ＥＬ面発光パネル３のねじ込み部材を担持部２２の凹部に螺合させ、有機ＥＬ面発光パネル３を担持部２２によって担持させる。このような有機ＥＬ面発光パネル３を着脱自在にすることができる位置（すなわち、図６及び図７に示されているような担持部２２の一部が本体部２１の開口２１ａから突出した位置）をパネル着脱位置と称する。当該パネル着脱位置から有機ＥＬ面発光パネル３が本体部２１の開口２１ａに沿って移動するように、有機ＥＬ面発光パネル３を押圧する。当該押圧により、有機ＥＬ面発光パネル３と担持部２２とが一体的に移動することになる。この際、バネ２３が縮み、有機ＥＬ面発光パネル３及び担持部２２をパネル着脱位置に向かって付勢する付勢力が徐々に大きくなる。
【００５９】
そして、有機ＥＬ面発光パネル３が所定の位置まで到達すると、係止部２４の係止機構が作動し、バネ２３の付勢力を抑制して有機ＥＬ面発光パネル３が当該所定の位置に係止される（図２を参照）。ここで、所定の位置とは、有機ＥＬ面発光パネル３が本体部２１の開口２１ａ内に嵌め込まれた嵌め込み位置である。より具体的に、所定の位置とは、有機ＥＬ面発光パネル３を使用する位置であり、且つ有機ＥＬ面発光パネル３の発光面と支持体４の本体部２１の前面（壁２の露出面側に位置する面）とが面一になる位置である。なお、面発光照明装置１の美観の向上のために面一となる位置を嵌め込み位置にしているが、有機ＥＬ面発光パネル３の発光面と支持体４の本体部２１の前面とが面一にならない位置を嵌め込み位置としてもよい。
【００６０】
このような嵌め込み位置に有機ＥＬ面発光パネル３が到達すると、有機ＥＬ面発光パネル３にケーブル２６を介して所望の電力を供給することが可能になる。例えば、担持部２２の電力接続端子とケーブル２６の電力接続端子とが、有機ＥＬ面発光パネル３が当該嵌め込み位置に配置された状態のみに電気的に接続されるような構成としてもよく、或いは係止機構の作動開始を示すデジタル信号を制御回路３６に供給するようにしてもよい。また、有機ＥＬ面発光パネル３が当該嵌め込み位置に到達したことを検出し、検出信号を制御回路３６に供給するマイクロスイッチ又はセンサ（いずれも図示せず）を本体部２１の開口２１ａ内に搭載し、当該検出信号が供給されない状態においては電力供給を行わないようにインターロックシステムを形成してもよい。このように、有機ＥＬ面発光パネル３が嵌め込み位置にある場合のみ電力供給が可能な機構を用いることにより、パネル着脱位置に配置されている状態における電力供給を抑制できるため、有機ＥＬ面発光パネル３の着脱時における使用者の感電、及び有機ＥＬ面発光パネル３の破損を防止することができる。
【００６１】
故障又は寿命等の理由によって有機ＥＬ面発光パネル３を交換する場合には、有機ＥＬ面発光パネル３を押圧し、係止部２４によるバネ２３の付勢力の抑制を解除する。当該付勢力が解除されると、バネ２３の付勢力が担持部２２に伝達され、担持部２２とともに有機ＥＬ面発光パネル３がパネル着脱位置に向かって移動する。そして、有機ＥＬ面発光パネル３がパネル着脱位置に到達することで（図７を参照）、有機ＥＬ面発光パネル３を担持部２２から容易に取り外すことができる。
【００６２】
＜本実施例の効果＞
本実施例の面発光照明装置１は、有機面発光パネル３と、有機ＥＬ面発光パネル３をパネル着脱位置とパネル嵌め込み位置との間で移動可能とし、且つ有機ＥＬ面発光パネル３を支持する支持体４と、を有している。また、発光照明装置１の支持体４は、有機ＥＬ面発光パネル３を嵌め込み可能な開口２１ａを備える本体部２１と、有機ＥＬ面発光パネル３を着脱支持し、且つパネル嵌め込み位置において有機ＥＬ面発光パネル３の支持をなす担持部２２と、開口２１ａの内部に配置され、有機ＥＬ面発光パネル３をパネル嵌め込み位置からパネル着脱位置に向かって付勢するバネ２３と、有機ＥＬ面発光パネル３に対するバネの付勢力の伝達を抑制し、パネル嵌め込み位置に有機ＥＬ面発光パネル３を係止する係止部２４と、を備えている。
【００６３】
このような構成により、有機ＥＬ面発光パネル３と支持体４との間隔を狭くすることができるため、面発光照明装置１自体の美観及び照度を従来の照明装置と比較して向上することができる。また、特殊な治具又は工事等を必要とすることなく有機ＥＬ面発光パネル３を容易に交換することができるため、面発光照明装置１自体の製造コスト及び維持費用を低減することができる。
【００６４】
また、面発光照明装置１の係止部２４は、パネル嵌め込み位置において有機ＥＬ面発光パネル３の発光面側が押圧されると、有機ＥＬ面発光パネル３の係止状態を解除することができる。このような単純な作業により有機ＥＬ面発光パネル３を交換することができるため、面発光照明装置１の維持を容易に行うことができ、有機ＥＬ面発光パネル３の交換の煩わしさを解消することができる。
【００６５】
＜変形例＞
上述した面発光照明装置１の構造は一例に過ぎず、各種の構成部材は、本発明の要旨を変更しない範囲において任意に変更することが可能である。以下において、面発光照明装置１及びその構成部材の変形例を説明する。
【００６６】
上述した実施例に係る面発光照明装置１においては、有機ＥＬ面発光パネル３を着脱自在に支持し、且つパネル嵌め込み位置において有機ＥＬ面発光パネル３の支持をなす支持手段として担持部２２が設けられていたが、有機ＥＬ面発光パネル３の周囲を支持する支持ピンを設けても良い。このような支持ピンを備える変形例を面発光照明装置１’とし、図８及び図９を参照しつつ説明する。ここで、図８は、図１と同様にして示す変形例に係る面発光照明装置１’の概略構成図である。また、図９は、図２と同様にして示す変形例に係る面発光照明装置１’の断面図である。なお、図８及び図９において、上述した実施例に係る面発光照明装置１と同一の構成については同一の符号を付し、その説明は省略する。
【００６７】
図８及び図９から分かるように、本変形例に係る面発光照明装置１’の支持体４’は、面発光パネル３の周囲を支持する複数の支持ピン４１を有している。支持ピン４１は、本体部２１の内部に収納されており、有機ＥＬ面発光パネル３を支持する場合に有機ＥＬ面発光パネル３に向かって突出する。例えば、本体部２１の前面にスイッチ等のボタンが設けられており、当該ボタンを押すことによって支持ピン４１が突出するような機構を本体部２１に設けてもよい。当該ボタンには、支持ピン４１が突出した状態で再度ボタンを押す等の操作により、支持ピン４１を本体２１の内部に再度収納可能な機構を設けておく。このような支持ピン４１が有機ＥＬ面発光パネル３に接触することにより、有機ＥＬ面発光パネル３が嵌め込み位置にて支持されることになる。
【００６８】
次に、図９乃至図１１を参照しつつ、本変形例に係る面発光照明装置１’における有機ＥＬ面発光パネル３の取り付け及び取り外しについて説明する。ここで、図１０は、有機ＥＬ面発光パネル３を支持体４’に取り付ける前の状態を図９と同様にして示す断面図である。また、図１１は、有機ＥＬ面発光パネル３をバネ２３に取り付けた状態を図９と同様にして示す断面図である。
【００６９】
図１０に示すように、有機ＥＬ面発光パネル３を支持体４’に取り付ける前の状態においては、バネ２３が伸びた状態となり、当該バネ２３が本体部２１の開口２１ａから突出している。また、ケーブル２６も開口２１ａから外部に引き出されている。このような状態においては、有機ＥＬ面発光パネル３とケーブル２６を容易に接続することができる。
【００７０】
次に、設置する有機ＥＬ面発光パネル３にケーブル２６を接続し、有機ＥＬ面発光パネル３をバネ２３と接触させる。このような有機ＥＬ面発光パネル３がバネ２３と接触し、支持体４に取り付けられる位置（すなわち、図１０及び図１１に示すような開口２１ａから突出したバネ２３の先端の位置）をパネル着脱位置と称する。当該パネル着脱位置から有機ＥＬ面発光パネル３が本体部２１の開口２１ａに沿って移動するように、有機ＥＬ面発光パネル３を押圧する。当該押圧により、有機ＥＬ面発光パネル３が開口２１ａの内部に向かって移動することになる。この際、バネ２３が縮み、有機ＥＬ面発光パネル３をパネル着脱位置に向かって付勢する付勢力が徐々に大きくなる。
【００７１】
続いて、有機ＥＬ面発光パネル３の発光面と本体部２１の前面が面一となる状態まで有機ＥＬ面発光パネル３を移動させ、当該面一の状態において支持ピン４１を突出させるためのボタン（図示せず）を押し、支持ピン４１を有機ＥＬ面発光パネル３の周囲と接触するように突出させる。そして、当該面一の状態においては、係止部２４の係止機構が作動し、バネ２３の付勢力を抑制して有機ＥＬ面発光パネル３が当該所定の位置に係止される。このような有機ＥＬ面発光パネル３の発光面と本体部２１の前面が面一となる位置が、有機ＥＬ面発光パネル３の嵌め込み位置に該当し、有機ＥＬ面発光パネル３を使用する位置でもある。
【００７２】
故障又は寿命等の理由によって有機ＥＬ面発光パネル３を交換する場合には、有機ＥＬ面発光パネル３を押圧し、係止部２４によるバネ２３の付勢力の抑制を解除するとともに、上述した支持ピン４１を収納させるためのボタンを押し、支持ピン４１を本体部２１の内部に収納させる。これにより、バネ２３の付勢力が有機ＥＬ面発光パネル３に伝達され、有機ＥＬ面発光パネル３がパネル着脱位置に向かって移動する。そして、有機ＥＬ面発光パネル３がパネル着脱位置に到達後に（図１１を参照）、有機ＥＬ面発光パネル３からケーブル２６を取り外し、支持体４からの有機ＥＬ面発光パネル３の取り外しが完了する。
【００７３】
このような変形例においても、上述した実施例と同様に、有機ＥＬ面発光パネル３と支持体４’との間隔を狭くすることができるため、面発光照明装置１’自体の美観及び照度を従来の照明装置と比較して向上することができる。また、特殊な治具又は工事等を必要とすることなく有機ＥＬ面発光パネル３を容易に交換することができるため、面発光照明装置１’自体の製造コスト及び維持費用を低減することができる。
【００７４】
また、有機ＥＬ面発光パネル３と本体部２１との間に隙間があっても、支持ピン４１が設けられているため、当該支持ピン４１と本体部２１との組合せ、又は有機ＥＬ面発光パネル３と支持ピン２１との組合せ等によって何らかのデザインを表すことが可能となり、面発光照明装置１’の美観を向上させることができる。
【００７５】
なお、本変形例においては、支持手段として支持ピン４１を用いたが、支持ピン４１に代えて本体部２１の内部又は開口２１ａの内周面に磁性体を設けてもよい。このような場合には、当該磁性体の磁力によって有機ＥＬ面発光パネル３が移動しないように支持することになる。また、支持ピン４１はピン状のものに限らず、板状のものであってもよい。
【００７６】
また、上述した実施例及び変形例においては、支持体４、４’によって１枚の有機ＥＬ面発光パネル３のみが支持されていたが、複数の有機ＥＬ面発光パネル３を支持体４、４’内に並置してもよい。このような場合には、各有機ＥＬ面発光パネル３に対して担持部２２、バネ２３、係止部２４、及びケーブル２６が独立して設けられることになる。そして、このような場合であっても、有機ＥＬ面発光パネル３同士の間隔を狭くすることができるため、美観及び照度を従来の照明装置と比較して向上させることができる。更に、特殊な治具又は工事等を必要とすることなく各有機ＥＬ面発光パネル３を容易に交換することができるため、面発光照明装置１、１’自体の製造コスト及び維持費用を低減することができる。
【符号の説明】
【００７７】
１    面発光照明装置
２    壁
２ａ    開口
３    有機ＥＬ面発光パネル（面発光パネル）
４    支持体
１１    透明基板
１２、１２Ｒ、１２Ｇ、１２Ｂ    有機ＥＬ発光素子
１３    光拡散部
１４    封止部
１５、１５Ｒ、１５Ｇ、１５Ｂ    陽極
１６、１６Ｒ、１６Ｇ、１６Ｂ    有機層
１７、１７Ｒ、１７Ｇ、１７Ｂ    陰極
２１    本体部
２１ａ    開口
２２    担持部
２３    バネ
２４    係止部
２５    係止ピン
２６    ケーブル
３１    赤色発光素子群
３２    緑色発光素子群
３３    青色発光素子群
３４    電力供給回路
３５、３５Ｒ、３５Ｇ、３５Ｂ    ｎチャネルＭＯＳトランジスタ（ｎＭＯＳ）
３６    制御回路
３７    外部電源
４１    支持ピン
【図１】
2014135231.tif 000003
【図２】
2014135231.tif 000004
【図３】
2014135231.tif 000005
【図４】
2014135231.tif 000006
【図５】
2014135231.tif 000007
【図６】
2014135231.tif 000008
【図７】
2014135231.tif 000009
【図８】
2014135231.tif 000010
【図９】
2014135231.tif 000011
【図１０】
2014135231.tif 000012
【図１１】
2014135231.tif 000013